(57)【要約】【課題】小型でマスターレンズの像側に配置されたときに良好な光学性能を有するアタッチメントレンズを提供する。【解決手段】撮像光学系の像側に装着可能なアタッチメントレンズ（Ｌａｔ）であって、第１の屈折力を有する第１の光学素子（Ｌａｔ３）と、第２の屈折力を有する第２の光学素子（Ｌａｔ２）とを有し、第１の光学素子および第２の光学素子はそれぞれ非球面を有し、アタッチメントレンズの最も物体側の面から最も像側の面までの光軸上の距離をｔｄｃ、アタッチメントレンズの焦点距離をｆｃとするとき、    ０．００５ ＜｜ｔｄｃ／ｆｃ｜＜０．１００なる条件式を満足する。【選択図】図１
2020190696.tif 000002
【特許請求の範囲】
【請求項１】
撮像光学系の像側に装着可能なアタッチメントレンズであって、
第１の屈折力を有する第１の光学素子と、
第２の屈折力を有する第２の光学素子と、を有し、
前記第１の光学素子および前記第２の光学素子はそれぞれ非球面を有し、
前記アタッチメントレンズの最も物体側の面から最も像側の面までの光軸上の距離をｔｄｃ、前記アタッチメントレンズの焦点距離をｆｃとするとき、
０．００５ ＜｜ｔｄｃ／ｆｃ｜＜０．１００
なる条件式を満足することを特徴とするアタッチメントレンズ。
【請求項２】
前記第１の光学素子および前記第２の光学素子のそれぞれの位置は、固定されていることを特徴とする請求項１に記載のアタッチメントレンズ。
【請求項３】
前記第１の光学素子は、正レンズであり、
前記第２の光学素子は、負レンズであることを特徴とする請求項１または２に記載のアタッチメントレンズ。
【請求項４】
前記アタッチメントレンズを構成する光学素子の非球面のうち最大の非球面量をｄｘ＿ｍａｘ、前記最大の非球面を有する前記光学素子の有効径をＥＡとするとき、
０．０５≦｜ｄｘ＿ｍａｘ／ＥＡ｜≦０．３０
なる条件式を満足することを特徴とする請求項１乃至３のいずれか一項に記載のアタッチメントレンズ。
【請求項５】
前記第１の光学素子が有する非球面は、光軸から周辺に向かって、正の屈折力が強くなる非球面であることを特徴とする請求項1乃至４のいずれか一項に記載のアタッチメントレンズ。
【請求項６】
撮像光学系と、
請求項１乃至５のいずれか一項に記載のアタッチメントレンズと、を有することを特徴とするレンズ装置。
【請求項７】
前記撮像光学系に前記アタッチメントレンズを装着した状態での前記撮像光学系の広角端におけるバックフォーカスをＳｋｍｃｗ、前記アタッチメントレンズを装着していない状態での前記撮像光学系の広角端におけるバックフォーカスをＳｋｍｗとするとき、
１．００≦Ｓｋｍｃｗ／Ｓｋｍｗ＜１．３０
なる条件式を満足することを特徴とする請求項６に記載のレンズ装置。
【請求項８】
前記撮像光学系は、前記アタッチメントレンズの装着前後でレンズ構成が変化しないことを特徴とする請求項６または７に記載のレンズ装置。
【請求項９】
前記撮像光学系は、前記アタッチメントレンズの装着前後で広角端から望遠端へのズームにおけるレンズ群の移動軌跡が変化しないことを特徴とする請求項６乃至８のいずれか一項に記載のレンズ装置。
【請求項１０】
前記撮像光学系および前記アタッチメントレンズを保護する保護部材を更に有し、
前記保護部材よりも物体側の媒質のｄ線に対する屈折率をｎｄとするとき、前記保護部材の物体側の媒質は、
１．１０＜ｎｄ＜１．５０
なる条件式を満足することを特徴とする請求項６乃至９のいずれか一項に記載のレンズ装置。
【請求項１１】
撮像素子と、
請求項１乃至５のいずれか一項に記載のアタッチメントレンズと、を有することを特徴とする撮像装置。
【発明の詳細な説明】
【技術分野】
【０００１】
本発明は、交換レンズに取り付け可能であって、交換レンズの光学性能を向上させるアタッチメントレンズに関する。
【背景技術】
【０００２】
近年、ミラーレスカメラの普及により、ＣＣＤ等の撮像素子と撮像レンズとの距離が短くなり、光学設計の自由度が大きくなっている。一方、一眼レフカメラに装着される撮像レンズは、カメラ内でファインダーへ光束を導くクイックリターンミラーの可動スペースを確保できるように、光学系のバックフォーカスが設計されている。このような撮像レンズをクイックリターンミラーのないカメラに用いる場合、光束の結像位置を撮像素子に合わせるため、撮像レンズとカメラ本体との間にスペースを設ける必要があり、そのための部材（アダプター）が装着される。
【０００３】
また近年、水中での撮影を楽しむユーザーが増えており、水中に最適な設計がなされた撮像レンズの要求が高まりつつある。一般に、水中カメラあるいは水陸両用カメラは、水中ハウジング内に収容されているか、または、カメラ自体に防水機構を施している。しかし、水や塩水は屈折率と分散が空気中とは異なり、例えばｄ線に対する屈折率は空気に対して約４／３であり、分散はアッベ数で６２程度となる。このため、空気中において十分収差補正された撮像光学系を水中で使用すると、水と撮像光学系とが接する境界面での屈折作用が変化し、収差の変化により光学性能が低下する。
【０００４】
特許文献１には、交換レンズ（撮像レンズ）の物体側に装着し、水中において諸収差を良好に補正したコンバータレンズ（アタッチメントレンズ）が開示されている。特許文献２には、ドーム型のハウジング内の撮像レンズの物体側に装着され、水中で諸収差を良好に補正するレンズ群（アタッチメントレンズ）が開示されている。
【先行技術文献】
【特許文献】
【０００５】
【特許文献１】特開２０１７−２６７７３号公報
【特許文献２】特開２００４−３２５７１１号公報
【発明の概要】
【発明が解決しようとする課題】
【０００６】
しかしながら、特許文献１および特許文献２に開示されたアタッチメントレンズは、撮像レンズの物体側に装着して用いられる。このため、撮像レンズが大型化してしまう。
【０００７】
そこで本発明は、小型でマスターレンズの像側に配置されたときに良好な光学性能を有するアタッチメントレンズ、または小型で良好な光学性能を有するレンズ装置および撮像装置を提供することを目的とする。
【課題を解決するための手段】
【０００８】
本発明の一側面としてのアタッチメントレンズは、撮像光学系の像側に装着可能なアタッチメントレンズであって、第１の屈折力を有する第１の光学素子と、第２の屈折力を有する第２の光学素子とを有し、前記第１の光学素子および前記第２の光学素子はそれぞれ非球面を有し、前記アタッチメントレンズの最も物体側の面から最も像側の面までの光軸上の距離をｔｄｃ、前記アタッチメントレンズの焦点距離をｆｃとするとき、
０．００５ ＜｜ｔｄｃ／ｆｃ｜＜０．１００
なる条件式を満足する。
【０００９】
本発明の他の側面としてのレンズ装置は、撮像光学系と前記アタッチメントレンズとを有する。
【００１０】
本発明の他の側面としての撮像装置は、撮像素子と前記アタッチメントレンズとを有する。
【００１１】
本発明の他の目的及び特徴は、以下の実施形態において説明される。
【発明の効果】
【００１２】
本発明によれば、小型でマスターレンズの像側に配置されたときに良好な光学性能を有するアタッチメントレンズ、または小型で良好な光学性能を有するレンズ装置および撮像装置を提供することができる。
【図面の簡単な説明】
【００１３】
【図１】実施例１における物体距離無限遠でのレンズ断面図である。
【図２】実施例２における物体距離無限遠でのレンズ断面図である。
【図３】実施例３における物体距離無限遠でのレンズ断面図である。
【図４】実施例４における物体距離無限遠でのレンズ断面図である。
【図５】実施例５における物体距離無限遠でのレンズ断面図である。
【図６】実施例１、２における、ズームレンズの物体距離無限遠での収差図である。
【図７】実施例１において、アタッチメントレンズ装着時の物体距離無限遠での収差図である。
【図８】実施例２において、アタッチメントレンズ装着時の物体距離無限遠での収差図である。
【図９】実施例３、４、５における、単焦点レンズの物体距離無限遠での収差図である。
【図１０】実施例３において、アタッチメントレンズ装着時の物体距離無限遠での収差図である。
【図１１】実施例４において、アタッチメントレンズ装着時の物体距離無限遠での収差図である。
【図１２】実施例５において、アタッチメントレンズ装着時の物体距離無限遠での収差図である。
【図１３】実施例１、２の効果の説明図である。
【図１４】実施例３、４、５の効果の説明図である。
【図１５】各実施例における撮像装置の概略図である。
【図１６】非球面量の定義の説明図である。
【発明を実施するための形態】
【００１４】
以下、本発明の実施形態について、図面を参照しながら詳細に説明する。
【００１５】
アタッチメントレンズを含む光学系の小型化を図るには、アタッチメントレンズを撮像光学系の像側（光出射側）に配置することが好ましい。このように、撮像光学系の像側に配置されるアタッチメントレンズをリアコンバーターともいう。これにより、レンズ（光学素子）の径が小さくなり、アタッチメントレンズを撮像光学系の物体側（光入射側）に配置するよりも製造コストを低減することができる。しかしながら、この場合、光軸からの光線高さが低く、撮像素子の周辺に向かう、光軸から離れた光線の分離が十分でない部分で収差を補正するため、撮像光学系の収差の補正が困難となる。特に、撮像光学系が焦点距離の短い、所謂広角レンズである場合、像面湾曲の十分な補正が困難となる。
【００１６】
広角レンズの像面湾曲は、光軸から離れるにつれてアンダー側へ湾曲したあと、周辺に向けてオーバー側へ湾曲する傾向がある。特に、そのような撮像光学系を水中ハウジングのような保護部材に入れて水中で用いる場合、像面が大きくオーバー側に湾曲する傾向がある。そこで、アタッチメントレンズを撮像素子の近くに配置し、光軸から離れた光線の収差補正を行うことが有効となる。
【００１７】
バックフォーカスが長く設計された撮像光学系をミラーレスカメラのような撮像素子と撮像光学系との間の距離が近い撮像装置に装着する際、アタッチメントレンズを従来よりも撮像素子側に配置することで、収差を効率よく補正できる。また、本来、撮像光学系が持つバックフォーカスのスペースを利用することになるため、アタッチメントレンズを含む光学系全体のサイズを低減することができる。これは、水中での使用を前提としなくても、撮像光学系の性能を改善するために有効である。また、広角レンズの像面湾曲を効率的に補正するため、アタッチメントレンズに非球面を設けることが必要である。
【００１８】
本実施形態のアタッチメントレンズは、撮像光学系の像側（光出射側）に装着可能なアタッチメントレンズＬａｔである。アタッチメントレンズＬａｔは、第１の屈折力を有する第１の光学素子および第２の屈折力を有する第２の光学素子を（屈折力を有する光学素子を少なくとも２枚以上）有する。ここで屈折力とは、光軸近傍で光線を収束または発散させる力を意味する。また、第１の光学素子および第２の光学素子はそれぞれ非球面を有する。また、アタッチメントレンズＬａｔの最も物体側（光入射側）の面から最も像側の面までの光軸上の距離（アタッチメントレンズの全長）をｔｄｃ、アタッチメントレンズＬａｔの焦点距離をｆｃとするとき、以下の条件式（１）を満足する。これにより、ズーム全域およびフォーカス全域で良好な結像性能を得ることができる。
【００１９】
０．００５ ＜｜ｔｄｃ／ｆｃ｜＜０．１００  …  （１）
条件式（１）は、アタッチメントレンズＬａｔの全長と焦点距離との比であり、アタッチメントレンズＬａｔが持つべき屈折力を示す条件式である。アタッチメントレンズＬａｔは、撮像光学系の焦点距離および画角を大きく変化させず、その収差を補正する機能を有する。条件式（１）の上限を超えと、アタッチメントレンズＬａｔの屈折力が大きすぎ、撮像光学系の画角変化が大きくなるため、好ましくない。一方、条件式（１）の下限を超えると、アタッチメントレンズＬａｔの全長が短すぎ、収差補正に十分なレンズを配置することができず、好ましくない。
【００２０】
また、アタッチメントレンズＬａｔを構成する光学素子の非球面のうち最大の非球面量をｄｘ＿ｍａｘ、最大の非球面を有する光学素子の有効径をＥＡとするとき、以下の条件式（２）を満足することが好ましい。
【００２１】
０．０５≦｜ｄｘ＿ｍａｘ／ＥＡ｜≦０．３０  …  （２）
条件式（２）は、アタッチメントレンズＬａｔにおける非球面のうち最も非球面量が大きいレンズについて、非球面量とレンズの有効径との比であり、撮像光学系の像面湾曲を低減するために必要な非球面量を示している。最大の非球面量ｄｘ＿ｍａｘは、アタッチメントレンズＬａｔ内の非球面において、ベース面曲率半径からの非球面量の最大値である。なお、ベース面曲率半径は、以下の式（Ａ）の第１項目の値に相当する。
【００２２】
条件式（２）の上限を超えると、非球面量が大きすぎてレンズの加工が困難となり、非球面の位置による性能変化が大きくなるため、好ましくない。一方、条件式（２）の下限を超えると、非球面量が小さくなりすぎ、撮像光学系の広角端の像面湾曲を十分に低減することができないため、好ましくない。
【００２３】
ただし、有効径ＥＡは、当該光学素子を通過する光線のうち最も光軸から離れた位置を通過する光線の通過高さを２倍した長さである。有効径が、光学素子の物体側と像側とで異なる場合は、値の大きい方をその光学素子の有効径とする。
【００２４】
非球面量の定義について図１６を用いて説明する。非球面量Ａｒとは、図１６に示すように、非球面Ｒａの参照球面Ｒｒｅｆからの乖離量の最大値を表している。参照球面Ｒｒｅｆの半径（曲率半径）は、面頂点と面の光線有効径より決定される球面の半径である。非球面Ｒａの参照球面Ｒｒｅｆからの乖離方向が、参照球面Ｒｒｅｆに対して媒質を盛る方向を正の非球面量、媒質を削る方向を負の非球面量と定義する。例えば、図１６に示す非球面Ｒａは、正の非球面量を有する。また、両レンズ面が非球面形状の非球面レンズの場合は、各レンズ面の非球面量を足し合わせたものが、該非球面レンズの非球面量となる。
【００２５】
また、撮像光学系にアタッチメントレンズＬａｔを装着した状態での撮像光学系の広角端におけるバックフォーカスをＳｋｍｃｗ、アタッチメントレンズＬａｔを装着していない状態での広角端におけるバックフォーカスをＳｋｍｗとする。ここで、バックフォーカスとは、撮像光学系のレンズ最終面（最も像側のレンズ面）から近軸像面までの光軸上の距離を空気換算長により表記したものである。このとき、以下の条件式（３）を満足することが好ましい。
【００２６】
１．００≦Ｓｋｍｃｗ／Ｓｋｍｗ＜１．３０  …  （３）
条件式（３）は、アタッチメントレンズＬａｔの装着前後で、撮像光学系の最も像側の面から像面までの距離が大きく変化しないことを示す条件式である。条件式（３）の上限を超えると、アタッチメントレンズＬａｔの全長が長すぎ、全系（撮像光学系）を小型化することが困難となるため、好ましくない。一方、条件式（３）の下限を超えると、アタッチメントレンズＬａｔの正の屈折力が強くなりすぎ、諸収差を補正することが困難となるため、好ましくない。
【００２７】
本実施形態のレンズ装置は、撮像光学系およびアタッチメントレンズＬａｔを保護する保護部材を有していてもよい。保護部材よりも物体側の媒質のｄ線に対する屈折率をｎｄとするとき、保護部材よりも物体側の媒質は、以下の条件式（４）を満足することが好ましい。
【００２８】
１．１０＜ｎｄ＜１．５０  …  （４）
条件式（４）の上限または下限を超えると、像面湾曲の画角による変動を十分に低減することが困難となるため、好ましくない。
【００２９】
より好ましくは、本実施形態のアタッチメントレンズＬａｔおよびレンズ装置は、以下の条件式（１ａ）〜（４ａ）の少なくとも一つを満足する。
【００３０】
０．００５ ＜｜ｔｄｃ／ｆｃ｜＜０．０８０  …  （１ａ）
０．０５≦｜ｄｘ＿ｍａｘ／ＥＡ｜≦０．２０  …  （２ａ）
１．００≦Ｓｋｍｃｗ／Ｓｋｍｗ＜１．２８  …  （３ａ）
１．２０＜ｎｄ＜１．４０  …  （４ａ）
更に好ましくは、本実施形態のアタッチメントレンズＬａｔおよびレンズ装置は、以下の条件式（１ｂ）〜（４ｂ）の少なくとも一つを満足する。
【００３１】
０．００６ ＜｜ｔｄｃ／ｆｃ｜＜０．０７０  …  （１ｂ）
０．０５≦｜ｄｘ＿ｍａｘ／ＥＡ｜≦０．１５  …  （２ｂ）
１．００≦Ｓｋｍｃｗ／Ｓｋｍｗ＜１．２５  …  （３ｂ）
１．３０＜ｎｄ＜１．３５  …  （４ｂ）
好ましくは、アタッチメントレンズＬａｔを構成する複数のレンズ（光学素子）のそれぞれの位置は、固定されている（変化しない）。また好ましくは、アタッチメントレンズＬａｔの第３レンズＬａｔ３は、光軸ＯＡから周辺に向かって、正の屈折力が強くなる非球面を有する。また好ましくは、撮像光学系は、アタッチメントレンズＬａｔの装着前後でレンズ構成が変化しない。また好ましくは、撮像光学系は、アタッチメントレンズＬａｔの装着前後で広角端から望遠端へのズームにおけるレンズ群の移動軌跡が変化しない。
【００３２】
以下、本発明の構成に関し、実施例１〜５において具体的に説明する。なお、後述の数値実施例１〜５は、実施例１〜５のそれぞれの具体的な数値実施例である。ｒは曲率半径、ｄは面間隔、ｎｄはｄ線の屈折率、νｄはアッベ数をそれぞれ示す。
【実施例１】
【００３３】
まず、図１を参照して、本発明の実施例１における光学系（レンズ装置）の構成について説明する。図１は、本実施例における物体距離無限遠での光学系のレンズ断面図であり、図１（Ａ）は広角端、図１（Ｂ）は中間焦点距離、図１（Ｃ）は望遠端の状態をそれぞれ示す。図１では、撮像光学系であるズームレンズＺＬと、ズームレンズＺＬの像側に配置されたアタッチメントレンズＬａｔを図示している。ズームレンズＺＬは、負の屈折力を有する第１レンズ群Ｌ１、正の屈折力を有する第２レンズ群Ｌ２、負の屈折力を有する第３レンズ群Ｌ３、正の屈折力Ｌ４を有する。
【００３４】
ズーミングに際して、隣り合うレンズ群の間隔が変化する。すなわち、広角端から望遠端へのズーミングの際、第１レンズ群Ｌ１は像側に凸の軌跡で移動する。またこの際、第２レンズ群Ｌ２および第４レンズ群Ｌ４は同じ軌跡で物体側へ移動し、第３レンズ群Ｌ３は第２レンズ群Ｌ２および第４レンズ群Ｌ４とは異なる軌跡で物体側へ移動する。ＳＰは開口絞り、ＩＰは像面である。また、第１レンズ群Ｌ１の一部であるフォーカスレンズ群Ｌｆを物体側に移動させることで、無限遠距離から至近距離までのフォーカシングを行う。
【００３５】
アタッチメントレンズＬａｔは、屈折力を有する複数のレンズから構成される。具体的には、本実施例のアタッチメントレンズＬａｔは、光入射側（物体側）から光出射側（像側）へ順に、第１レンズＬａｔ１、第２レンズ（第２の光学素子）Ｌａｔ２、および、第３レンズ（第１の光学素子）Ｌａｔ３からなる。第１レンズＬａｔ１は、正レンズである。第２レンズＬａｔ２は、負レンズであり、非球面を有する。第３レンズＬａｔ３は、正レンズであり、非球面を有する。ズームレンズＺＬは、広角端において中間像高でアンダー側、周辺像高でオーバー側の像面湾曲を有する。このような像面湾曲を補正するため、アタッチメントレンズＬａｔに、複数のレンズ群に中心から屈折力を与え、更に光軸ＯＡから周辺に向かって屈折力を変化させる非球面を用いる。これにより、ズームレンズＺＬの広角端の像面湾曲の画角による変動を低減することができる。
【００３６】
本実施例において、好ましくは、以下の条件式（１ｃ）〜（３ｃ）の少なくとも一つを満足する。
【００３７】
０．０２０＜｜ｔｄｃ／ｆｃ｜＜０．０５０  …  （１ｃ）
０．０５≦｜ｄｘ＿ｍａｘ／ＥＡ｜≦０．１０  …  （２ｃ）
１．００≦Ｓｋｍｃｗ／Ｓｋｍｗ＜１．１０  …  （３ｃ）
図６は、本実施例において、ズームレンズＺＬの物体距離無限遠での収差図である。図６（Ａ）、（Ｂ）、（Ｃ）は、広角端、中間焦点距離、望遠端の収差図をそれぞれ示す。図７は、本実施例において、ズームレンズＺＬにアタッチメントレンズＬａｔを装着したときの物体距離無限遠での収差図である。図７（Ａ）、（Ｂ）、（Ｃ）は、広角端、中間焦点距離、望遠端の収差図をそれぞれ示す。図６および図７のいずれも良好な収差特性となっている。
【００３８】
次に、図１３を参照して、本実施例の効果について説明する。図１３は、空間周波数２０本／ｍｍのコントラストチャートに対して、横軸に近軸像面からのデフォーカス量［ｍｍ］、縦軸にＭＴＦ値を示すグラフである。図１３中のＭＴＦ曲線において、実線はサジタル像面、点線はメリディオナル像面のＭＴＦ曲線をそれぞれ示している。図１３（Ａ）は、ズームレンズＺＬ単体における、広角端における光軸中心、像高１５ｍｍでのＭＴＦを示す。図１３（Ｂ）は、アタッチメントレンズ装着時における、広角端の光軸中心、像高１５ｍｍでのＭＴＦを示す。光軸中心から像高１５ｍｍまでのメリディオナル像面の湾曲量（図中の矢印表示）が、アタッチメントレンズ装着前後で−０．１６ｍｍから−０．０４ｍｍに低減していることが分かる。
【実施例２】
【００３９】
次に、図２を参照して、本発明の実施例２における光学系（レンズ装置）の構成について説明する。図２は、本実施例における物体距離無限遠での光学系のレンズ断面図であり、図２（Ａ）は広角端、図２（Ｂ）は中間焦点距離、図２（Ｃ）は望遠端の状態をそれぞれ示す。
【００４０】
図２では、保護部材Ｌｗと、撮像光学系であるズームレンズＺＬと、ズームレンズＺＬの像側に配置されたアタッチメントレンズＬａｔと、筐体１０９を図示している。なお、本実施例におけるズームレンズＺＬは、実施例１におけるズームレンズＺＬと同じであるため、詳細な説明は省略する。
【００４１】
本実施例において、ズームレンズＺ（撮像光学系）ＬおよびアタッチメントレンズＬａｔは、物体側（光入射側）に凸形状を有するドーム状の保護部材Ｌｗを有する筐体内に収納されている。なお本実施例において、撮像装置ＯＬ（レンズ装置）の周囲の媒質は、ｄ線に対する屈折率１．３３３の水である。本実施例のアタッチメントレンズＬａｔは、撮像光学系の周囲の媒質の屈折率の差に起因して生じる像面湾曲等を補正するのに好適である。
【００４２】
本実施例のアタッチメントレンズＬａｔは、光入射側（物体側）から光出射側（像側）へ順に、第１レンズＬａｔ１、第２レンズ（第２の光学素子）Ｌａｔ２、第３レンズ（第１の光学素子）Ｌａｔ３、および、第４レンズ群Ｌａｔ４からなる。第１レンズＬａｔ１は、正レンズである。第２レンズＬａｔ２は、負レンズであり、非球面を有する。第３レンズＬａｔ３は、正レンズであり、非球面を有する。第４レンズ群Ｌａｔ４は、正レンズであり、非球面を有する。ズームレンズＺＬは、広角端において中間像高でアンダー側、周辺像高でオーバー側の像面湾曲を有する。また、水中で使用する際には、水と撮像光学系とが接する境界面（保護部材Ｌｗ）での屈折作用が変化し、像面湾曲が画面中心から周辺に向けて大きくオーバー側へ湾曲する。このような像面湾曲を補正するため、アタッチメントレンズＬａｔに、複数のレンズ群に中心から屈折力を与え、更に光軸中心から周辺で屈折力を変化させる非球面を用いることで、ズームレンズＺＬの広角端の像面湾曲の画角による変動を低減することができる。
【００４３】
好ましくは、本実施例において、以下の条件式（１ｄ）〜（３ｄ）の少なくとも一つを満足する。
【００４４】
０．０１０＜｜ｔｄｃ／ｆｃ｜＜０．０３０  …  （１ｄ）
０．１０≦｜ｄｘ＿ｍａｘ／ＥＡ｜≦０．３０  …  （２ｄ）
１．００ ≦Ｓｋｍｃｗ／Ｓｋｍｗ＜１．１０  …  （３ｄ）
図６は、本実施例において、ズームレンズＺＬの物体距離無限遠での収差図である。図６（Ａ）、（Ｂ）、（Ｃ）は、広角端、中間焦点距離、望遠端の収差図をそれぞれ示す。図８は、本実施例において、ズームレンズＺＬにアタッチメントレンズＬａｔを装着したときの物体距離無限遠での収差図である。図８（Ａ）、（Ｂ）、（Ｃ）は、広角端、中間焦点距離、望遠端の収差図をそれぞれ示す。図６および図８のいずれも良好な収差特性となっている。
【００４５】
次に、図１３を参照して、本実施例の効果について説明する。図１３は、空間周波数２０本／ｍｍのコントラストチャートに対して、横軸に近軸像面からのデフォーカス量[ｍｍ]、縦軸にＭＴＦ値を示すグラフである。図１３中のＭＴＦ曲線において、実線はサジタル像面、点線はメリディオナル像面のＭＴＦ曲線をそれぞれ示している。図１３（Ａ）は、ズームレンズＺＬの、広角端における光軸中心、像高１５ｍｍでのＭＴＦを示す。図１３（Ｃ）は、アタッチメントレンズ装着時における、広角端の光軸中心、像高１５ｍｍでのＭＴＦを示す。光軸中心から像高１５ｍｍまでのメリディオナル像面の湾曲量（図中の矢印表示）が、アタッチメントレンズ装着前後で−０．１６ｍｍから＋０．０３ｍｍに低減していることが分かる。
【実施例３】
【００４６】
次に、図３を参照して、本発明の実施例３における光学系（レンズ装置）の構成について説明する。図３は、本実施例における物体距離無限遠での光学系のレンズ断面図である。図３では、撮像光学系である単焦点レンズＬと、単焦点レンズＬの像側に配置されたアタッチメントレンズＬａｔを図示している。また、単焦点レンズＬの一部のフォーカスレンズ群Ｌｆを一体で物体側に移動させることで、無限遠距離から至近距離までのフォーカスを行っている。ＳＰは開口絞り、ＩＰは像面である。
【００４７】
本実施例のアタッチメントレンズＬａｔは、光入射側（物体側）から光出射側（像側）へ順に、第１レンズＬａｔ１、第２レンズ（第２の光学素子）Ｌａｔ２、および、第３レンズ（第１の光学素子）Ｌａｔ３からなる。第１レンズＬａｔ１は、正レンズである。第２レンズＬａｔ２は、負レンズであり、非球面を有する。第３レンズＬａｔ３は、正レンズであり、非球面を有する。単焦点レンズＬは、物体距離無限遠において中間像高でアンダー側、周辺像高でオーバー側の像面湾曲を有する。このような像面湾曲を補正するため、複数のレンズ群に中心から屈折力を与え、更に光軸中心から周辺で屈折力を変化させる非球面を用いることで、単焦点レンズＬの像面湾曲の画角による変動を低減することができる。
【００４８】
好ましくは、本実施例において、以下の条件式（１ｅ）〜（３ｅ）の少なくとも一つを満足する。
【００４９】
０．００５＜｜ｔｄｃ／ｆｃ｜＜０．０１０  …  （１ｅ）
０．０５≦｜ｄｘ＿ｍａｘ／ＥＡ｜≦０．１０  …  （２ｅ）
１．００≦Ｓｋｍｃｗ／Ｓｋｍｗ＜１．０３  …  （３ｅ）
図９は、本実施例において、単焦点レンズＬ単体における物体距離無限遠での収差図である。図１０は、本実施例において、単焦点レンズＬにアタッチメントレンズＬａｔを装着したときの物体距離無限遠での収差図である。図９および図１０のいずれも良好な収差特性となっている。
【００５０】
次に、図１４を参照して、本実施例の効果について説明する。図１４は、空間周波数３０本／ｍｍのコントラストチャートに対して、横軸に近軸像面からのデフォーカス量［ｍｍ］、縦軸にＭＴＦ値を示すグラフである。図１４中のＭＴＦ曲線において、実線はサジタル像面、点線はメリディオナル像面のＭＴＦ曲線をそれぞれ示している。図１４（Ａ）は、単焦点レンズＬの物体距離無限遠における光軸中心、像高１５ｍｍでのＭＴＦを示す。図１４（Ｂ）は、アタッチメントレンズ装着時における、物体距離無限遠時の光軸中心、像高１５ｍｍでのＭＴＦを示す。光軸中心から像高１５ｍｍまでのサジタル像面の湾曲量（図中の矢印表示）が、アタッチメントレンズ装着前後で−０．０５ｍｍから０ｍｍに低減していることが分かる。
【実施例４】
【００５１】
次に、図４を参照して、本発明の実施例４における光学系（レンズ装置）の構成について説明する。図４は、本実施例における物体距離無限遠での光学系のレンズ断面図である。図４では、保護部材Ｌｗと、撮像光学系である単焦点レンズＬと、単焦点レンズＬの像側に配置されたアタッチメントレンズＬａｔと、筐体１０９を図示している。本実施例における単焦点レンズＬは、実施例３における単焦点レンズＬと同じであるため、詳細な説明は省略する。本実施例のアタッチメントレンズＬａｔは、撮像光学系の周囲の媒質の屈折率の差に起因して生じる像面湾曲等を補正するのに好適である。
【００５２】
本実施例において、単焦点レンズＬおよびアタッチメントレンズＬａｔは、物体側（光入射側）に凸形状を有するドーム状の保護部材Ｌｗを有する筐体内に収納されている。なお本実施例において、撮像装置ＯＬ（レンズ装置）の周囲の媒質は、ｄ線に対する屈折率１．３３３の水である。
【００５３】
本実施例のアタッチメントレンズＬａｔは、光入射側（物体側）から光出射側（像側）へ順に、第１レンズＬａｔ１、第２レンズ（第２の光学素子）Ｌａｔ２、および、第３レンズ（第１の光学素子）Ｌａｔ３からなる。第１レンズＬａｔ１は、正レンズである。第２レンズＬａｔ２は、負レンズであり、非球面を有する。第３レンズＬａｔ３は、正レンズであり、非球面を有する。単焦点レンズＬは、物体距離無限遠において中間像高でアンダー側、周辺像高でオーバー側の像面湾曲を有する。また、水中で使用する際には、水と撮像光学系とが接する境界面（保護部材Ｌｗ）での屈折作用が変化し、像面湾曲が画面中心から周辺に向けて大きくオーバー側へ湾曲する。このような像面湾曲を補正するため、複数のレンズ群に中心から屈折力を与え、更に光軸中心から周辺で屈折力を変化させる非球面を用いることで、単焦点レンズＬの像面湾曲の画角による変動を低減することができる。
【００５４】
好ましくは、本実施例において、以下の条件式（１ｆ）〜（３ｆ）の少なくとも一つを満足する。
【００５５】
０．０２０＜｜ｔｄｃ／ｆｃ｜＜０．０３０  …  （１ｆ）
０．０５≦｜ｄｘ＿ｍａｘ／ＥＡ｜≦０．１０  …  （２ｆ）
１．０５≦Ｓｋｍｃｗ／Ｓｋｍｗ＜１．１０  …  （３ｆ）
図９は、本実施例において、単焦点レンズＬ単体における物体距離無限遠での収差図である。図１１は、本実施例において、単焦点レンズＬにアタッチメントレンズＬａｔを装着したときの物体距離無限遠での収差図である。図９および図１１のいずれも良好な収差特性となっている。
【００５６】
次に、図１４を参照して、本実施例の効果について説明する。図１４は、空間周波数３０本／ｍｍのコントラストチャートに対して、横軸に近軸像面からのデフォーカス量［ｍｍ］、縦軸にＭＴＦ値を示すグラフである。図１４中のＭＴＦ曲線において、実線はサジタル像面、点線はメリディオナル像面のＭＴＦ曲線をそれぞれ示している。図１４（Ａ）は、単焦点レンズＬの物体距離無限遠における光軸中心、像高１５ｍｍでのＭＴＦを示す。図１４（Ｃ）は、アタッチメントレンズ装着時における、物体距離無限遠時の光軸中心、像高１５ｍｍでのＭＴＦを示す。光軸中心から像高１５ｍｍまでのサジタル像面の湾曲量（図中の矢印表示）が、アタッチメントレンズ装着前後で−０．０５ｍｍから＋０．０２ｍｍに低減していることが分かる。
【実施例５】
【００５７】
次に、図５を参照して、本発明の実施例５における光学系（レンズ装置）の構成について説明する。図５は、本実施例における物体距離無限遠での光学系のレンズ断面図である。図５では、保護部材Ｌｗと、撮像光学系である単焦点レンズＬと、単焦点レンズＬの像側に配置されたアタッチメントレンズＬａｔと、筐体１０９を図示している。本実施例における単焦点レンズＬは、実施例３における単焦点レンズＬと同じであるため、詳細な説明は省略する。本実施例のアタッチメントレンズＬａｔは、撮像光学系の周囲の媒質の屈折率の差に起因して生じる像面湾曲等を補正するのに好適である。
【００５８】
本実施例において、単焦点レンズＬおよびアタッチメントレンズＬａｔは、物体側（光入射側）に凸形状を有するドーム状の保護部材Ｌｗを有する筐体内に収納されている。なお本実施例において、撮像装置ＯＬ（レンズ装置）の周囲の媒質は、ｄ線に対する屈折率１．３３３の水である。
【００５９】
本実施例のアタッチメントレンズＬａｔは、光入射側（物体側）から光出射側（像側）へ順に、第１レンズＬａｔ１、第２レンズ（第２の光学素子）Ｌａｔ２、および、第３レンズ（第１の光学素子）Ｌａｔ３からなる。第１レンズＬａｔ１は、正レンズである。第２レンズＬａｔ２は、負レンズであり、非球面を有する。第３レンズＬａｔ３は、正レンズであり非球面を有する。単焦点レンズＬは、物体距離無限遠において中間像高でアンダー側、周辺像高でオーバー側の像面湾曲を有する。また、水中で使用する際には、水と撮像光学系とが接する境界面（保護部材Ｌｗ）での屈折作用が変化し、像面湾曲が画面中心から周辺に向けて大きくオーバー側へ湾曲する。このような像面湾曲を補正するため、複数のレンズ群に中心から屈折力を与え、更に光軸中心から周辺で屈折力を変化させる非球面を用いることで、単焦点レンズＬの像面湾曲の画角による変動を低減することができる。
【００６０】
好ましくは、本実施例において、以下の条件式（１ｇ）〜（３ｇ）の少なくとも一つを満足する。
【００６１】
０．００５ ＜｜ｔｄｃ／ｆｃ｜＜０．０１０  …  （１ｇ）
０．０７≦｜ｄｘ＿ｍａｘ／ＥＡ｜≦０.１１  …  （２ｇ）
１．１０≦Ｓｋｍｃｗ／Ｓｋｍｗ＜１．２  …  （３ｇ）
図９は、本実施例において、単焦点レンズＬの物体距離無限遠での収差図である。図１２は、本実施例において、単焦点レンズＬにアタッチメントレンズＬａｔを装着したときの物体距離無限遠での収差図である。図９および図１２のいずれも良好な収差特性となっている。
【００６２】
次に、図１４を参照して、本実施例の効果について説明する。図１４は、空間周波数３０本／ｍｍのコントラストチャートに対して、横軸に近軸像面からのデフォーカス量［ｍｍ］、縦軸にＭＴＦ値を示すグラフである。図１４中のＭＴＦ曲線において、実線はサジタル像面、点線はメリディオナル像面のＭＴＦ曲線をそれぞれ示している。図１４（Ａ）は、単焦点レンズＬの物体距離無限遠における光軸中心、像高１５ｍｍでのＭＴＦを示す。図１４（Ｄ）は、アタッチメントレンズ装着時における、物体距離無限遠時の光軸中心、像高１５ｍｍでのＭＴＦを示す。光軸中心から像高１５ｍｍまでのサジタル像面の湾曲量（図中の矢印表示）が、アタッチメントレンズ装着前後で−０．０５ｍｍから＋０．０４ｍｍに低減していることが分かる。
【００６３】
以下、実施例１〜５にそれぞれ対応する数値実施例１〜５を示す。各数値実施例の面データにおいて、ｒは各光学面の曲率半径、ｄ（ｍｍ）は第ｍ面と第（ｍ＋１）面との間の軸上間隔（光軸上の距離）を表わしている。ただし、ｍは光入射側から数えた面の番号である。また、ｎｄは各光学部材のｄ線に対する屈折率、νｄは光学部材のアッベ数を表わしている。なお、ある材料のアッベ数νｄは、フラウンホーファ線のｄ線（５８７．６ｎｍ）、Ｆ線（４８６．１ｎｍ）、Ｃ線（６５６．３ｎｍ）における屈折率をＮｄ、ＮＦ、ＮＣとするとき、
νｄ＝（Ｎｄ−１）／（ＮＦ−ＮＣ）
で表される。
【００６４】
なお、各数値実施例において、ｄ、焦点距離（ｍｍ）、Ｆナンバー、半画角（度）は全て各実施例の光学系が無限遠物体に焦点を合わせた時の値である。「バックフォーカス」は、レンズ最終面（最も像側のレンズ面）から近軸像面までの光軸上の距離を空気換算長により表記したものである。「レンズ全長」は、ズームレンズの最前面（最も物体側のレンズ面）から最終面までの光軸上の距離にバックフォーカスを加えた長さである。「レンズ群」は、複数のレンズから構成される場合に限らず、１枚のレンズから構成される場合も含むものとする。
【００６５】
また、光学面が非球面の場合は、面番号の右側に、＊の符号を付している。非球面形状（光軸方向の非球面量）は、以下の式（Ａ）で与えられる。
【００６６】
【数１】
2020190696.tif 000003
【００６７】
ここで、Ｘは光軸方向の面頂点からの変位量（光軸方向の非球面量）、Ｙは光軸と垂直な方向の光軸からの高さ、Ｒは近軸曲率半径、Ｋは円錐定数、Ａ４、Ａ６、Ａ８、Ａ１０、Ａ１２、Ａ１４は各次数の非球面係数である。
【００６８】
各数値実施例の面データは、全系の光学系について示している。すなわち、数値実施例１、３は、撮像光学系（ズームレンズＺＬまたは単焦点レンズＬ）とアタッチメントレンズＬａｔについて示している。実施例２、４、５は、保護部材Ｌｗと撮像光学系（ズームレンズＺＬまたは単焦点レンズＬ）とアタッチメントレンズＬａｔについて示している。
【００６９】
（数値実施例１）
単位 mm                             
面データ                            
面番号    r       d       nd      νd    有効径
1*   12826.238   3.5    1.58373   59.4   52.08
2       22.591  13.63                    36.06 
3*    -210.437   0.1    1.52421   51.4   31.89
4     -146.091   1.3    1.7725    49.6   31.81
5       24.773   2.09                    27.92      
6       28.493   4.45   1.84666   23.9   27.82
7       72.575  (可変)                   26.73      
8       45.228   1.2     1.72825  28.5   18.46
9       18.666   5.35    1.51633  64.1   18.69
10    -133.407   0.15                    19.36      
11      34.369   3.49    1.6779   55.3   20.02
12     -89.333  (可変)                   19.94      
13(絞り)  ∞     1.87                    16.65      
14     -66.891   1.25    1.71999  50.2   16.31
15      81.615   0.93                    16.39
16     -88.722   1       1.6223   53.2   16.48
17      32.152   2.6     1.80518  25.4   17.74
18    2189.196  (可変)                   18.24
19      29.94    6.72    1.43875  95     21.62
20     -29.94    0.15                    22.26
21*   -622.972   0.15    1.52421  51.4   22.28
22    -128.586   1.2     1.834    37.2   22.3
23      20.96    8.71    1.48749  70.2   22.95
24     -38.77   (可変)                   24.64
25      53.959   4       1.62004  36.3   29
26   -3482.626   1.85                    29
27*    -75.492   3       1.83481  42.7   30
28*    106.894   0.99                    30
29      35.882   4       1.497    81.5   30
30*     51.358  (可変)                   30
像面  ∞                      
非球面データ                                    
第1面                                     
K = 0.00000E+00   A 4= 1.35800E-05   A 6= -1.79200E-08
A 8= 2.41200E-11   A10= -2.01000E-14   A12= 7.86000E-18   
第3面                                     
K =0.00000E+00   A 4= -9.21100E-06   A 6= 2.50400E-08
A 8= -1.83800E-11   A10= -6.64000E-15               
第21面                                          
K = 0.00000E+00   A 4= -2.20000E-05   A 6= -2.58800E-08
A 8= -1.36300E-11   A10= 2.92500E-13          
第27面                                          
K = 2.11129E+01   A 4= 1.03345E-04   A 6= -9.59817E-07    
A 8= 5.60719E-09   A10= -1.55480E-11   A12= 6.66144E-15   A14= 3.80097E-17
第28面                                          
K = 7.60792E+00   A 4= 1.25779E-04   A 6= -1.18343E-06
A 8= 5.95699E-09   A10= -1.48431E-11   A12=   4.07711E-15   A14= 2.98964E-17
第30面                                          
K = 3.21431E+00   A 4= -4.79806E-05   A 6= 3.77324E-07
A 8= -1.21021E-09   A10= 1.95564E-12                                        
各種データ              
ズーム比   2.22   
広角      中間       望遠
焦点距離     17.33      23.76     38.46
Ｆナンバー    4.1        4.1        4.1
半画角（度） 51.31      42.32     29.36
像高         21.64      21.64     21.64
レンズ全長  140.59     135.9     140.61
BF           26.31      26.31     26.31
d7           26.47      15.79      5.75
d12           1.24       5.36     12.63
d18          11.88       7.76      0.49
d24           1          6.98     21.74
d30          26.31      26.31     26.31
入射瞳位置   21.39      20.97     21.98
射出瞳位置  -47.9      -43.18    -42.71
前側主点位置 34.67      36.61     39.01
後側主点位置  8.99       2.55    -12.15
ズームレンズ群データ                
群  始面 焦点距離  レンズ構成長  前側主点位置  後側主点位置
1    1   -21.03       25.07          6.8         -12.65
2    8    28.82       10.19          4.12         -2.52
3   13   -46.91        7.65          2.17         -3.41
4   19    47.74       16.93          5.12         -7.27
5   25  -480.24       13.85         43.46         30.88
※第１〜第４群：ズームレンズＺＬ、第５群：アタッチメントレンズＬａｔ
単レンズデータ
レンズ    始面      焦点距離
1          1         -38.77
2          3         910.93
3          4         -27.33
4          6          52.95
5          8         -44.49
6          9          32.1
7          11         37.04
8          14        -50.88
9          16        -37.8
10         17         40.5
11         19         35.33
12         21        309.06
13         22        -21.53
14         23         29.31
15         25         85.74
16         27        -52.61
17         29        220.65
（数値実施例２）
単位  mm                      
面データ                      
面番号    r       d       nd      νd    有効径
1      115.996   8      1.49171   57.4   220
2      113.3   (可変)                    217
3*   12826.238   3.5    1.58373   59.4   52.08
4       22.591 (可変)                    36.06
5*    -210.437   0.1    1.52421   51.4   31.89
6     -146.091   1.3    1.7725    49.6   31.81
7      24.773   2.09                     27.92
8      28.493   4.45    1.84666   23.9   27.82
9      72.575  (可変)                    26.73
10     45.228   1.2     1.72825   28.5   18.46
11     18.666   5.35    1.51633   64.1   18.69
12   -133.407   0.15                     19.36
13     34.369   3.49    1.6779    55.3   20.02
14    -89.333  (可変)                    19.94
15(絞り) ∞     1.87                     16.66
16    -66.891   1.25    1.71999   50.2   16.31
17     81.615   0.93                     16.39
18    -88.722   1       1.6223    53.2   16.48
19     32.152   2.6     1.80518   25.4   17.74
20   2189.196  (可変)                    18.24
21     29.94    6.72    1.43875   95     21.62
22    -29.94    0.15                     22.26
23*  -622.972   0.15    1.52421   51.4   22.28
24   -128.586   1.2     1.834     37.2   22.3
25     20.96    8.71    1.48749   70.2   22.95
26    -38.77  (可変)                     24.64
27     53.28    5       1.69895   30.1   28
28    -94.621   3.09                     28
29    -37.781   2       1.8322    40.1   30
30*   26.559    0.46                     30
31    28.939    7       1.58313   59.4   30
32*  620.801    8.47                     30
33   -81.151    4.94    1.48749   70.2   34
34*  -34.971   (可変)                    34
像面   ∞                     
非球面データ                                    
第3面                                     
K = 0.00000E+00   A 4= 1.35800E-05   A 6= -1.79200E-08
A 8= 2.41200E-11   A10= -2.01000E-14   A12= 7.86000E-18   
第5面                                     
K = 0.00000E+00   A 4= -9.21100E-06   A 6= 2.50400E-08
A 8= -1.83800E-11   A10= -6.64000E-15   
第23面                                          
K = 0.00000E+00 A 4= -2.20000E-05 A 6= -2.58800E-08
A 8= -1.36300E-11     A10= 2.92500E-13                  
第30面                                          
K = -3.48255E+00   A 4= -1.05788E-06   A 6=   6.08450E-08
A 8= -1.20241E-09   A10= 5.73845E-12   A12= -1.60552E-14   A14= 2.84106E-17
第32面                                          
K = -2.52938E+03   A 4= 3.38386E-05   A 6= -7.06895E-08   
A 8= 1.46586E-10   A10= 6.37251E-12   A12= -3.00686E-14   A14= 3.43477E-17
第34面                                          
K = -6.45943E-01   A 4= -1.76949E-05   A 6= 3.20977E-08   
A 8= 2.67948E-11   A10= -3.43906E-13                      
各種データ              
ズーム比    2.22  
広角      中間       望遠
焦点距離        14.8      21.58     32.85
Ｆナンバー       4.1       4.1       4.58
半画角（度）    55.62     45.07     33.37
像高            21.64     21.64     21.64
レンズ全長     244.83    244.83    244.88
BF              16.76     16.76     16.76
d2              88.68     93.58     88.71
d4              12.21     12.22     12.21
d9              27.89     15.28      7.17
d14              1.24      6.41     12.63
d20             11.88      6.72      0.49
d26              1         8.69     21.74
d34             16.76     16.76     16.76
入射瞳位置     119.32    122.75    119.79
射出瞳位置     -82.29    -74.74    -75.05
前側主点位置   136.1     144.73    147.91
後側主点位置     1.96     -4.82    -16.09
ズームレンズ群データ
群  始面 焦点距離  レンズ構成長  前側主点位置  後側主点位置
1    1  -340.12        8            10.55          2.5    
2    3   -21.03       25.07          6.8         -12.65
3   10    28.82       10.19          4.12         -2.52
4   15   -46.91        7.65          2.17         -3.41
5   21    47.74       16.93          5.12         -7.27
6   27  -796.55       30.95        -43.5         -75.07
※第１群：保護部材Ｌｗ、第２〜第５群：ズームレンズＺＬ、
第６群：アタッチメントレンズＬａｔ
単レンズデータ                      
レンズ    始面       焦点距離           
1          1         -340.12          
2          3          -38.77          
3          5          910.93          
4          6          -27.33          
5          8           52.95                
6          10         -44.49          
7          11          32.1                 
8          13          37.04                
9          16         -50.88          
10         18         -37.8                 
11         19          40.5                 
12         21          35.33                
13         23         309.06          
14         24         -21.53          
15         25          29.31                
16         27          49.46                
17         29         -18.48            
18         31          51.83                
19         33         121.8                 
（数値実施例３）
単位  mm                      
面データ    
面番号    r       d       nd      νd    有効径
1       60.045   1.6    1.713     53.9   40.84
2       24.527   6.8                     34.37
3      210.703   3      1.8061    33.3   33.96
4     -149.67    7.01                    33.21
5       36.681   1      1.7725    49.6   20.04
6       14.802   3.43                    17.55
7     -534.728   3.65   1.56732   42.8   17.22
8      -35.638   1.63                    16.07
9      -26.187   0.8    1.7725    49.6   14.46
10     137.833   0.42                    13.98
11      24.165   4.25   1.91082   35.3   13.55
12     -20.084   4.38   1.84666   23.9   13.54
13     -63.845   2.7                     13.7
14(絞り)  ∞     3.01                    13.3
15     106.389   1.5    1.72916   54.7   14
16    -152.064   5.06                    14
17     -11.257   1.35   1.7552    27.5   12.64
18     -42.148   3.65   1.59522   67.7   15.42
19     -14.866   0.56                    17.27
20*    -61.679   3.98   1.58313   59.4   19.55
21     -17.579   0.95                    20.93
22      32.847   3      1.51823   58.9   25
23      59.232   0.96                    25
24      31.796   2      1.83481   42.7   26
25*     22.142  10.38                    26
26    -103.657   3.05   1.54072   47.2   31
27*    -75.745  17.95                    31
像面  ∞                      
非球面データ                                    
第20面                                          
K = 0.00000E+00   A4= -3.22021E-05   A6= -2.92301E-08
A8= 4.16067E-10   A10= -5.09494E-12   A12= 1.35149E-14
第25面                                          
K = -0.470709   A4= 8.26479E-06   A6= -2.23097E-08
A8= 5.66894E-10   A10= -3.21752E-12   A12= 8.66932E-15
第27面                                          
K = -137.22   A4= -3.90199E-05   A6= 2.24371E-07   
A8= -1.27419E-09   A10= 3.76749E-12   A12= -5.61181E-15         
各種データ  
ズーム比    1
焦点距離         23.94
Ｆナンバー        2.83
半画角（度）     42.1
像高             21.64
レンズ全長       99.77
BF               17.95
入射瞳位置       23.76
射出瞳位置      -45.14
前側主点位置     38.61
後側主点位置     -6
単レンズデータ    
レンズ    始面     焦点距離
1          1        -59.27
2          3        108.96
3          5        -32.78
4          7         67.13
5          9        -28.43
6          11        12.62
7          12       -36.27
8          15        86.06
9          17       -20.73
10         18        36.75
11         20        40.81
12         22       136.98
13         24       -96.44
14         26       501.02
（数値実施例４）
単位  mm                      
面データ
面番号    r       d       nd      νd    有効径
1    115.996     8      1.49171   57.4   220
2    113.3      73.7                     217
3     60.045     1.6    1.713     53.9    40.84
4     24.527     6.8                      34.37
5    210.703     3      1.8061    33.3    33.96
6   -149.67      7.01                     33.21
7     36.681     1      1.7725    49.6    20.04
8     14.802     3.43                     17.55
9   -534.728     3.65   1.56732   42.8    17.22
10   -35.638     1.63                     16.07
11   -26.187     0.8    1.7725    49.6    14.46
12   137.833     0.42                     13.98
13    24.165     4.25   1.91082   35.3    13.55
14   -20.084     4.38   1.84666   23.9    13.54
15   -63.845     2.7                      13.7
16(絞り) ∞      3.01                     13.3
17   106.389     1.5    1.72916   54.7    14
18  -152.064     5.06                     14
19   -11.257     1.35   1.7552    27.5    12.64
20   -42.148     3.65   1.59522   67.7    15.42
21   -14.866     0.56                     17.27
22*  -61.679     3.98   1.58313   59.4    19.55
23   -17.579     0.94                     20.93
24    34.168     3      1.57501   41.5    25
25   103.121     2.59                     25
26    65.309     2      1.83481   42.7    26
27*   26.763     10.02                    26
28   -61.697     4.37   1.51823   58.9    31
29*  -36.379     17.97                    31
像面  ∞                      
非球面データ                                    
第22面                                          
K = 0.00000E+00   A4= -3.22021E-05   A6= -2.92301E-08
A8= 4.16067E-10   A10= -5.09494E-12   A12= 1.35149E-14          
第27面                                          
K = -0.238174207   A4= 5.47987E-06   A6= -1.27340E-08
A8= 6.58303E-10   A10= -4.15765E-12   A12= 1.17032E-14    
第29面                                          
K = -38.81161206   A4= -9.39302E-05   A6= 6.78505E-07     
A8= -3.99238E-09   A10= 1.23783E-11   A12= -1.73386E-14         
各種データ  
ズーム比    1
焦点距離       19.33
Ｆナンバー      2.92
半画角（度）   48.22
像高           21.64
レンズ全長    182.37
BF             17.97
入射瞳位置    108.12
射出瞳位置    -55
前側主点位置  127.06
後側主点位置   -1.37
単レンズデータ          
レンズ    始面      焦点距離
1          1        -340.12
2          3         -59.27
3          5         108.96
4          7         -32.78
5          9          67.13
6         11         -28.43
7         13          12.62
8         14         -36.27
9         17          86.06
10        19         -20.73
11        20          36.75
12        22          40.81
13        24          87.48
14        26         -55.63
15        28         161.54
（数値実施例５）
単位  mm                      
面データ                            
面番号    r       d       nd      νd    有効径
1    115.996     8      1.49171   57.4   220.0
2    113.3      73.7                     217.0
3     60.045     1.6    1.713     53.9    40.8
4     24.527     6.8                      34.4
5    210.703     3      1.8061    33.3    34.0
6   -149.67      7.01                     33.2
7     36.681     1      1.7725    49.6    20.0
8     14.802     3.43                     17.6
9   -534.728     3.65   1.56732   42.8    17.2
10   -35.638     1.63                     16.1
11   -26.187     0.8    1.7725    49.6    14.5
12   137.833     0.42                     14.0
13    24.165     4.25   1.91082   35.3    13.6
14   -20.084     4.38   1.84666   23.9    13.5
15   -63.845     2.7                      13.7
16(絞り) ∞      3.01                     13.3
17   106.389     1.5    1.72916   54.7    14.0
18  -152.064     5.06                     14.0
19   -11.257     1.35   1.7552    27.5    12.6
20   -42.148     3.65   1.59522   67.7    15.4
21   -14.866     0.56                     17.3
22*  -61.679     3.98   1.58313   59.4    19.6
23   -17.579     0.94                     20.9
24    34.168     3      1.57501   41.5    25.0
25   103.121     2.59                     25.0
26    65.309     2      1.83481   42.7    26.0
27*   26.763     10.02                    26.0
28   -61.697     4.37   1.51823   58.9    31.0
29*  -36.379    17.97                     31.0
像面   ∞                     
非球面データ                                          
第22面                                                
K = 0.00000E+00   A4= -3.22021E-05   A6= -2.92301E-08
A8= 4.16067E-10   A10= -5.09494E-12   A12= 1.35149E-14          
第27面                                                
K = -0.238174207   A4= 5.47987E-06   A6= -1.27340E-08
A8= 6.58303E-10   A10= -4.15765E-12   A12= 1.17032E-14    
第29面                                                
K = -38.81161206   A4= -9.39302E-05   A6= 6.78505E-07
A8= -3.99238E-09   A10= 1.23783E-11   A12= -1.73386E-14               
各種データ  
ズーム比          1
焦点距離        19.33
Ｆナンバー       2.92
半画角（度）    48.22
像高            21.64
レンズ全長     182.37
BF              17.97
入射瞳位置     108.12
射出瞳位置     -55
前側主点位置   127.06
後側主点位置    -1.37
単レンズデータ    
レンズ     始面      焦点距離
1           1        -340.12
2           3         -59.27
3           5         108.96
4           7         -32.78
5           9          67.13
6          11         -28.43
7          13          12.62
8          14         -36.27
9          17          86.06
10         19         -20.73
11         20          36.75
12         22          40.81
13         24          87.48
14         26         -55.63
15         28         161.54
【００７０】
【表１】
2020190696.tif 000004
【００７１】
次に、図１５を参照して、本実施形態における撮像装置について説明する。図１５は、比較例と本実施形態のそれぞれの撮像装置の要部断面図である。図１５（Ａ）は、比較例としての撮像装置１０１の要部断面図である。撮像装置１０１は、撮像光学系１０２によって被写体像を受光するＣＣＤ等の撮像素子１０３を有する。また撮像装置１０１は、撮像光学系１０２からの光について、プリズムを介してファインダー光学系（不図示）に導光するためのクイックリターンミラー１０４を有する。クイックリターンミラー１０４が撮影時に図中の上方に矢印の軌跡で退避し、撮像素子１０３へ撮像光学系１０２からの光束を導く。撮像光学系１０２のバックフォーカスは、クイックリターンミラー１０４の退避スペースを確保できるように設計されている。
【００７２】
図１５（Ｂ）、（Ｃ）は、本実施形態におけるミラーレスカメラ（撮像装置）１０５の要部断面図である。ミラーレスカメラ１０５は、クイックリターンミラーを削除することによって、撮像装置の薄型化、小型化を図っている。一方、比較例としての撮像装置１０１に用いられる撮像光学系１０２をミラーレスカメラ１０５に用いる際には、ミラーレスカメラ（撮像装置）１０５と撮像光学系１０２との間に生じたスペース１０６をつなぐ部材１０７が必要となる。本実施形態は、スペース１０６を利用し、アタッチメントレンズＬａｔを配置することにより、撮像光学系１０２の性能の改善を図ることができる。
【００７３】
また、水中撮影を行う場合、図１５（Ｄ）に示されるように水中ハウジングに撮像光学系１０２およびミラーレスカメラ（撮像装置）１０５を収納する。水中ハウジングは、水中に凸面を向けたドーム状の保護部材１０８と、ミラーレスカメラ（撮像装置）１０５を収納する筐体１０９とが一体となった構成を有する。この場合、部材１０７内に配置されるアタッチメントレンズＬａｔは、図１５（Ｃ）のような空気中の場合とは異なる形状を有する。
【００７４】
各実施例によれば、小型でマスターレンズの像側に配置されたときに良好な光学性能を有するアタッチメントレンズ、または小型で良好な光学性能を有するレンズ装置および撮像装置を提供することができる。
【００７５】
以上、本発明の好ましい実施例について説明したが、本発明はこれらの実施例に限定されず、その要旨の範囲内で種々の変形及び変更が可能である。
【符号の説明】
【００７６】
Ｌａｔ  アタッチメントレンズ
Ｌａｔ２  第２レンズ（第２の光学素子）
Ｌａｔ３  第３レンズ（第１の光学素子）
【図１】
2020190696.tif 000005
【図２】
2020190696.tif 000006
【図３】
2020190696.tif 000007
【図４】
2020190696.tif 000008
【図５】
2020190696.tif 000009
【図６】
2020190696.tif 000010
【図７】
2020190696.tif 000011
【図８】
2020190696.tif 000012
【図９】
2020190696.tif 000013
【図１０】
2020190696.tif 000014
【図１１】
2020190696.tif 000015
【図１２】
2020190696.tif 000016
【図１３】
2020190696.tif 000017
【図１４】
2020190696.tif 000018
【図１５】
2020190696.tif 000019
【図１６】
2020190696.tif 000020